(57)【要約】【課題】フレアやゴーストの原因となる２次反射不要光の発生を防止することができる組合せレンズ、及びその組合せレンズを搭載した撮像性能の高いカメラモジュールを提供する。【解決手段】像面側（矢符Ｓ１の指し示す側）に凸面１１ａを有する第１レンズ１１と、物体側（矢符Ｓ２の指し示す側）に凸面１１ａと対向する凹面１２ｂを有する第２レンズ１２とで組合せレンズ１０を構成する。そして、第１レンズ１１の有効径の外側に、第２レンズ１２に対向し、黒色化された傾斜部１３を設ける。これにより、第２レンズ１２の像面側の面１２ａで反射し、第１レンズ１１の有効径の外側へ向う１次反射不要光（図中矢符Ｌ３の光路を示す光）を、黒色化された傾斜部１３で吸光することができる。【選択図】図１
2008122801.tif 000002
【特許請求の範囲】
【請求項１】
像面側に凸面を有する第１レンズと、物体側に前記凸面と対向する凹面を有する第２レンズとを備える組合せレンズにおいて、
前記第１レンズの有効径の外側に、前記第２レンズに対向し、黒色化された傾斜部を備えることを特徴とする組合せレンズ。
【請求項２】
前記凸面の曲率半径と前記凹面の曲率半径の差が１ｍｍ以下であることを特徴とする請求項１に記載の組合せレンズ。
【請求項３】
前記傾斜部は、前記凸面の外周に沿って設けてあり、光束の広がる方向に沿って傾斜していることを特徴とする請求項１又は請求項２に記載の組合せレンズ。
【請求項４】
前記傾斜部は前記第１レンズに設けてあることを特徴とする請求項１乃至請求項３のいずれか１つに記載の組合せレンズ。
【請求項５】
前記傾斜部は、塗布された黒色塗料により黒色化されていることを特徴とする請求項４に記載の組合せレンズ。
【請求項６】
前記傾斜部は、前記第１レンズと前記第２レンズを接着する黒色の接着剤により黒色化されていることを特徴とする請求項４に記載の組合せレンズ。
【請求項７】
前記傾斜部は黒色樹脂で形成してあることを特徴とする請求項４に記載の組合せレンズ。
【請求項８】
前記傾斜部は、前記第１レンズ又は前記第２レンズを保持するためのレンズ保持部から突出し、前記第１レンズ及び前記第２レンズを係合するレンズ係合部に設けてあることを特徴とする請求項１乃至請求項３のいずれか１つに記載の組合せレンズ。
【請求項９】
前記レンズ係合部は樹脂製であって、前記傾斜部は前記第１レンズに融着してあることを特徴とする請求項８に記載の組合せレンズ。
【請求項１０】
厚さ方向に穴径を異ならせて前記傾斜部を構成するリング状のスペーサが、前記第１レンズと前記第２レンズの間に挟んであることを特徴とする請求項１乃至請求項３のいずれか１つに記載の組合せレンズ。
【請求項１１】
前記スペーサは樹脂製であって、前記第１レンズに融着してあることを特徴とする請求項１０に記載の組合せレンズ。
【請求項１２】
請求項１乃至請求項１１のいずれか１つに記載の組合せレンズが搭載してあるカメラモジュール。
【請求項１３】
前記組合せレンズは、絞り部を通過した光束を広げる構成のレンズ群の像面側に搭載してあることを特徴とする請求項１２に記載のカメラモジュール。
【発明の詳細な説明】
【技術分野】
【０００１】
本発明は、像面側に凸面を有する第１レンズと、物体側に凸面と対向する凹面を有する第２レンズとを備える組合せレンズ、及びこの組合せレンズを搭載したカメラモジュールに関する。
【背景技術】
【０００２】
従来、カメラモジュール等の光学機器に用いられる組合せレンズとして、２つのレンズの平面部同士の間に遮光部材が挟み込まれた組合せレンズが知られている。
【０００３】
例えば、特許文献１に、２つのレンズ面のうち一方のレンズ面の周辺領域の曲率を他方のレンズ面の曲率と一致させて、その周辺領域でレンズ同士を組み合わせると共にその周辺領域に遮光手段を設ける技術が提案されている。
【０００４】
このような組合せレンズでは、遮光部材により、レンズ部での有害な反射光や散乱光（不要光）の発生を防止することができる。
【０００５】
しかしながら、上述したような組合せレンズが搭載されたカメラモジュールでは、物体側から像面側へ直進する直接光中の不要光（例えば、画角外光線など）の発生は防止されるが、レンズ系やその周辺部材で反射して撮像素子に入射し、画像に悪影響を及ぼす不要光（１次反射不要光）の発生は防止されないという問題がある。
【０００６】
この解決策として、１次反射不要光の発生源を影響の及ばない位置に配置する方法がある。例えば、特許文献２に、１次反射不要光の発生源となることが多い２枚のレンズを接着するための接着剤をレンズの有効径付近から離れた部分に（レンズの有効径外に）塗布する技術が提案されている。
【０００７】
特許文献２に記載の技術によれば、物体側から像面側へ直進する不要光を遮光部材により防止するとともに、１次反射不要光の発生源の１つである接着剤での反射を防止して、光学系に入る不要光を低減させることができる。
【特許文献１】特開平９−１１３７８３
【特許文献２】特開２００１−２９００６３
【発明の開示】
【発明が解決しようとする課題】
【０００８】
ところで、絞り部から光束が広がるようにレンズ構成がなされたカメラモジュールにおいては、絞り部を通過した光が組合せレンズのレンズ面で反射し、１次反射不要光となることがある。
【０００９】
この１次反射不要光は、撮像素子のある方向と逆向きに発生するため、撮像素子へ入射することはないが、１次反射不要光が到達する先に反射体があると、そこで再び反射して２次反射不要光となってしまう。この２次反射不要光は、撮像素子へ入射する可能性が高く、いわゆるフレアやゴーストの原因になり、特に高画質が求められるカメラモジュールにおいて大きな問題となる。しかし、特許文献１及び特許文献２の技術よって、２次反射不要光の発生を防止することはできない。
【００１０】
本発明は、このような状況に鑑みてなされたものであって、物体側に配置される第１レンズの有効径の外側に黒色化された傾斜部を備えることにより、２次反射不要光の発生を防止することができる組合せレンズを提供することを目的とする。
【００１１】
また、本発明は、本発明に係る組合せレンズを搭載することにより、２次反射不要光の発生が防止された撮像性能の高いカメラモジュールを提供することを他の目的とする。
【課題を解決するための手段】
【００１２】
本発明に係る組合せレンズは、像面側に凸面を有する第１レンズと、物体側に前記凸面と対向する凹面を有する第２レンズとを備える組合せレンズにおいて、前記第１レンズの有効径の外側に、前記第２レンズに対向し、黒色化された傾斜部を備えることを特徴とする。
【００１３】
この構成により、第２レンズの像面側の面で反射し、第１レンズの有効径の外側へ向う光（１次反射不要光）を、黒色化された傾斜部で吸光することができる。つまり、第２レンズの像面側の面で発生した１次反射不要光が第１レンズの有効径の外側で反射して２次反射不要光となることを防止することができる。
【００１４】
また、本発明に係る組合せレンズでは、前記凸面の曲率半径と前記凹面の曲率半径の差が１ｍｍ以下であることを特徴とする。
【００１５】
この構成により、凸面と凹面間の平行度が高まるから、光は凸面と凹面間をほとんど屈折せずに通過していくこととなり、凸面と凹面間での１次反射不要光の発生は低減される。
【００１６】
つまり、黒色化された傾斜部で吸光することができない１次反射不要光の発生を抑えることができるから、黒色化された傾斜部による２次反射不要光の抑制効果を効率良く得ることができる。
【００１７】
また、本発明に係る組合せレンズでは、前記傾斜部は、前記凸面の外周に沿って設けてあり、光束の広がる方向に沿って傾斜していることを特徴とする。
【００１８】
この構成により、１次反射不要光を傾斜部へ入りやすくして、黒色化された傾斜部による２次反射不要光の抑制効果をより高めることができる。
【００１９】
また、本発明に係る組合せレンズでは、前記傾斜部は前記第１レンズに設けてあることを特徴とする。
【００２０】
この構成により、傾斜部を形成するための特別な部材を用いずに、黒色化された傾斜部による２次反射不要光の抑制効果を得ることができる。
【００２１】
また、本発明に係る組合せレンズでは、前記傾斜部は、塗布された黒色塗料により黒色化されていることを特徴とする。
【００２２】
この構成により、簡単に傾斜部を黒色化することができる。
【００２３】
また、本発明に係る組合せレンズでは、前記傾斜部は、前記第１レンズと前記第２レンズを接着する黒色の接着剤により黒色化されていることを特徴とする。
【００２４】
この構成により、第１レンズと第２レンズを接着する際に、傾斜部を黒色化することができる。
【００２５】
また、本発明に係る組合せレンズでは、前記傾斜部は黒色樹脂で形成してあることを特徴とする。
【００２６】
この構成により、第１レンズと第２レンズをUV硬化型の透明な接着剤で固定しつつ、傾斜部の黒色化による２次反射不要光の抑制効果を得ることができる。また、傾斜部は黒色樹脂により形成されているから、傾斜部の成形後に黒色化を施す必要がなく、製造の際に、第１レンズの有効径の内側が黒色化してしまう恐れもない。
【００２７】
また、本発明に係る組合せレンズでは、前記傾斜部は、前記第１レンズ又は前記第２レンズを保持するためのレンズ保持部から突出し、前記第１レンズ及び前記第２レンズを係合するレンズ係合部に設けてあることを特徴とする。
【００２８】
この構成により、外部からの光を遮光するためのレンズ保持部から突出したレンズ係合部に傾斜部を設けることで、傾斜部を設けるための部品や、傾斜部を黒色化させるための部材を特別に用意する必要がなくなる。
【００２９】
また、本発明に係る組合せレンズでは、前記レンズ係合部は樹脂製であって、前記傾斜部は前記第１レンズに融着してあることを特徴とする。
【００３０】
この構成により、第１レンズに傾斜部を密に固定させることができる。
【００３１】
また、本発明に係る組合せレンズでは、厚さ方向に穴径を異ならせて前記傾斜部を構成するリング状のスペーサが、前記第１レンズと前記第２レンズの間に挟んであることを特徴とする。
【００３２】
この構成により、スペーサを第１レンズと第２レンズの間に挟みこむことで、黒色化された傾斜部を第１レンズの有効径の外側に接着によらずに固定することができる。
【００３３】
また、本発明に係る組合せレンズでは、前記スペーサは樹脂製であって、前記第１レンズに融着してあることを特徴とする。
【００３４】
この構成により、第１レンズに傾斜部を密に固定させることができる。
【００３５】
また、本発明に係るカメラモジュールは、上記した本発明に係る組合せレンズが搭載してあることを特徴とする。
【００３６】
この構成により、２次反射不要光の発生を抑制することのできる組合せレンズを搭載するから、１次反射不要光が２次反射不要光となって迷光化することを防止することができる。よって、２次反射不要光の発生が防止された撮像性能の高いカメラモジュールを提供することができる。
【００３７】
また、本発明に係るカメラモジュールでは、前記組合せレンズは、絞り部を通過した光束を広げる構成のレンズ群の像面側に搭載してあることを特徴とする。
【００３８】
この構成により、１次反射不要光起因で２次反射不要光が発生することによるフレア等の不要光の発生要因を組合せレンズに移すことができるから、１次反射不要光が２次反射不要光となって迷光化することを確実に防止することができる。よって、２次反射不要光の発生が確実に防止された撮像性能のより高いカメラモジュールを提供することができる。
【発明の効果】
【００３９】
本発明に係る組合せレンズによれば、第１レンズの有効径の外側に、第２レンズに対向し、黒色化された傾斜部を備えるから、第２レンズの像面側の面で反射し、第１レンズの有効径の外側へ向う光（１次反射不要光）を、黒色化された傾斜部で吸光することができる。つまり、１次反射不要光が第１レンズの有効径の外側で反射して２次反射不要光となることを防止することができるから、１次反射不要光が２次反射不要光となって、カメラモジュール内で迷光化することを防止することができる。
【００４０】
また、本発明に係るカメラモジュールによれば、２次反射不要光の発生を抑制することのできる本発明に係る組合せレンズを搭載することにより、１次反射不要光が２次反射不要光となって迷光化することを防止することができる。よって、２次反射不要光の発生が防止された撮像性能の高いカメラモジュールを提供することができる。
【発明を実施するための最良の形態】
【００４１】
以下、本発明の実施の形態について、図面を参照して説明する。
【００４２】
＜実施の形態１＞
図１は、本発明の実施の形態１に係る組合せレンズの概略構成を示す断面図である。  
【００４３】
図２は、本発明の実施の形態１に係る組合せレンズの第１レンズの構造を示す斜視図である。
【００４４】
図３は、本発明の実施の形態１に係る組合せレンズにおいて、第１レンズ及び第２レンズをレンズ保持部で保持した状態を示す断面図である。
【００４５】
なお、図１及び図３においては、図の見易さを考慮し、断面部のハッチングは省略している。
【００４６】
本実施の形態に係る組合せレンズ１０は、主に、第１レンズ１１と第２レンズ１２とで構成されている。第１レンズ１１は、像面側（図中矢符Ｓ１が指し示す側）に凸面１１ａを有しており、第２レンズ１２は、物体側（図中矢符Ｓ２が指し示す側）に凸面１１ａと対向する凹面１２ｂを有している。
【００４７】
なお、第１レンズ１１及び第２レンズ１２は、樹脂製レンズであっても、ガラス製レンズであってもよい。ガラス製レンズと比較してレンズの形状制御が容易であり、凸面１１ａや凹面１２ｂを形成し易く、また後述する傾斜部１３も形成し易いことから、本実施の形態に係る組合せレンズ１０の第１レンズ１１及び第２レンズ１２は、樹脂製レンズとしている。また、樹脂製レンズとしては、ポリカーボネイトやZEONEX（登録商標）といった樹脂で形成された樹脂製レンズを用いることができる。
【００４８】
また、凸面１１ａの曲率半径と凹面１２ｂの曲率半径の差は１ｍｍ以下としている。
【００４９】
つまり、凸面１１ａと凹面１２ｂの間で光がほとんど屈折せずに通過（図中矢符Ｌ２の方向に通過）するように、凸面１１ａと凹面１２ｂの間の平行度を高め、凸面１１ａと凹面１２ｂの間における１次反射不要光の発生を抑制した構成となっている。
【００５０】
また、第１レンズ１１の有効径の外側には、第２レンズ１２に対向し、黒色化された傾斜部１３を備えている。
【００５１】
つまり、第２レンズ１２の像面側の面１２ａで反射し、第１レンズ１１の有効径の外側へ向う１次反射不要光（図中矢符Ｌ３の光路を示す光）を、黒色化された傾斜部１３で吸光する構成となっており、１次反射不要光（図中矢符Ｌ３の光路を示す光）が第１レンズ１１の有効径の外側で反射して２次反射不要光となることを防止した構成となっている。
【００５２】
傾斜部１３は、第１レンズ１１に設けられている。なお、傾斜部１３は、発生した１次反射不要光が到達し易いように、例えば、図２に示すように、凸面１１ａの外周に沿って設けられおり、凸面１１ａの傾きの方向と逆方向、つまり光束の広がる方向（図中矢符Ｌ５の方向）に沿って傾斜していることが好ましい。
【００５３】
また、傾斜部１３は、黒色インクなどの黒色塗料を塗布することにより、黒色化されている。
【００５４】
また、図３のように、第１レンズ１１及び第２レンズ１２は、第１レンズ１１又は第２レンズ１２に入る外部からの光（図中矢符Ｌ４の方向から入る光）を遮断することができるように、レンズ保持部１４により保持されていてもよい。
【００５５】
＜実施の形態２＞
図４は、本発明の実施の形態２に係る組合せレンズの概略構成を示す断面図である。  なお、図の見易さを考慮し、断面部のハッチングは省略している。
【００５６】
本実施の形態に係る組合せレンズ１０の構成は、実施の形態１に係る組合せレンズ１０の構成とほぼ同様の構成となっており、主に、実施の形態１と異なる点について説明する。
【００５７】
本実施の形態に係る組合せレンズ１０は、主に、第１レンズ１１と第２レンズ１２とで構成されている。第１レンズ１１は、像面側（図中矢符Ｓ１が指し示す側）に凸面１１ａを有しており、第２レンズ１２は、物体側（図中矢符Ｓ２が指し示す側）に凸面１１ａと対向する凹面１２ｂを有している。
【００５８】
また、第１レンズ１１及び第２レンズ１２はレンズ保持部１４により保持されている。
【００５９】
また、第１レンズ１１の有効径の外側に、第２レンズ１２に対向し、黒色化された傾斜部１３を備えている。
【００６０】
傾斜部１３は、実施の形態１に係る組合せレンズ１０と同様に、第１レンズ１１に設けられている。
【００６１】
また、傾斜部１３は、黒色塗料ではなく、第１レンズ１１と第２レンズ１２を接着するための黒色の接着剤１５を塗布することにより、黒色化されている。
【００６２】
つまり、本実施の形態に係る組合せレンズ１０は、第１レンズ１１と第２レンズ１２を接着する際に、傾斜部１３を黒色化する構成となっている。なお、接着剤１５としては、黒色のスーパーＸ（登録商標）などを利用することができる。
【００６３】
＜実施の形態３＞
図５は、本発明の実施の形態３に係る組合せレンズの概略構成を示す断面図である。なお、図の見易さを考慮し、断面部のハッチングは省略している。
【００６４】
本実施の形態に係る組合せレンズの構成は、実施の形態１及び実施の形態２に係る組合せレンズの構成とほぼ同様の構成となっており、主に、実施の形態１及び実施の形態２と異なる点について説明する。
【００６５】
本実施の形態に係る組合せレンズ１０は、実施の形態１及び実施の形態２に係る組合せレンズ１０と同様に、主に、第１レンズ１１と第２レンズ１２とで構成されている。第１レンズ１１は、像面側（図中矢符Ｓ１が指し示す側）に凸面１１ａを有しており、第２レンズ１２は、物体側（図中矢符Ｓ２が指し示す側）に凸面１１ａと対向する凹面１２ｂを有している。
【００６６】
また、第１レンズ１１及び第２レンズ１２はレンズ保持部１４により保持されている。
【００６７】
また、第１レンズ１１の有効径の外側に、第２レンズ１２に対向し、黒色化された傾斜部１３を備えている。
【００６８】
傾斜部１３は、実施の形態１及び実施の形態２に係る組合せレンズ１０と同様に、第１レンズ１１に設けられている。
【００６９】
また、傾斜部１３が設けられる第１レンズ１１は、２色成形で作製されており、有効径の内側部分の透明樹脂で成形された透明樹脂部１１ｔと、有効径の外側部分の黒色樹脂で成形された黒色樹脂部１１ｂとで構成されている。換言すると、本実施の形態に係る組合せレンズ１０における傾斜部１３は、黒色樹脂で形成されている。
【００７０】
つまり、本実施の形態に係る組合せレンズ１０は、傾斜部１３を設ける第１レンズ１１を二色成形で作製することにより、第１レンズ１１と第２レンズ１２をＵＶ硬化型の接着剤で接着させることを可能としている。また、傾斜部１３を黒色樹脂で形成することにより、黒色塗料又は黒色の接着剤の塗布による黒色化を不要とすることで、第１レンズ１１の有効径の内側への黒色塗料又は黒色の接着剤のはみ出しを防いだ構成となっている。
【００７１】
なお、透明樹脂として、透明なポリカーボネイトを用い、黒色樹脂として、黒色のポリカーボネイトを用いると、透明樹脂部１１ｔと黒色樹脂部１１ｂの性状の差が少ない安定した形状の第１レンズ１１を作製することができる。
【００７２】
＜実施の形態４＞
図６は、本発明の実施の形態４に係る組合せレンズの概略構成を示す断面図である。なお、図の見易さを考慮し、断面部のハッチングは省略している。
【００７３】
本実施の形態に係る組合せレンズの構成は、実施の形態１乃至実施の形態３に係る組合せレンズの構成とほぼ同様の構成となっており、主に、実施の形態１乃至実施の形態３と異なる点について説明する。
【００７４】
本実施の形態に係る組合せレンズ１０は、実施の形態１乃至実施の形態３に係る組合せレンズ１０と同様に、主に、第１レンズ１１と第２レンズ１２とで構成されている。第１レンズ１１は、像面側（図中矢符Ｓ１が指し示す側）に凸面１１ａを有しており、第２レンズ１２は、物体側（図中矢符Ｓ２が指し示す側）に凸面１１ａと対向する凹面１２ｂを有している。
【００７５】
また、第１レンズ１１及び第２レンズ１２は、レンズ保持部１４により保持されている。
【００７６】
また、第１レンズ１１の有効径の外側に、第２レンズ１２に対向し、黒色化された傾斜部１３を備えている。
【００７７】
傾斜部１３は、レンズ保持部１４から突出し、第１レンズ１１及び第２レンズ１２を係合するレンズ係合部１６に設けられている。
【００７８】
また、レンズ係合部１６は樹脂製となっており、第１レンズ１１に融着されている。つまり、傾斜部１３が第１レンズ１１に密に固定されている。
【００７９】
また、レンズ係合部１６は少なくとも傾斜部１３が黒色化されている。なお、本実施の形態に係る組合せレンズ１０においては、レンズ係合部１６を形成する際の容易さから、レンズ係合部１６の全体が黒色樹脂で形成されている。
【００８０】
なお、第１レンズ１１における有効径の外側部分の形状１１ｆは、レンズ係合部１６と密に当接させることができる形状であればいかなる形状であってもよく、傾斜部１３と同様に、光束の広がる方向に傾斜していてもよい。
【００８１】
＜実施の形態５＞
図７は、本発明の実施の形態５に係る組合せレンズの概略構成を示す断面図である。なお、図の見易さを考慮し、断面部のハッチングは省略している。
【００８２】
図８は、本発明の実施の形態５に係る組合せレンズにおけるスペーサの構造を示す斜視図である。
【００８３】
本実施の形態に係る組合せレンズ１０の構成は、実施の形態１乃至実施の形態４に係る組合せレンズ１０の構成とほぼ同様の構成となっており、主に、実施の形態１乃至実施の形態４と異なる点について説明する。
【００８４】
本実施の形態に係る組合せレンズ１０は、実施の形態１乃至実施の形態４に係る組合せレンズ１０と同様に、主に、第１レンズ１１と第２レンズ１２とで構成されている。第１レンズ１１は、像面側（図中矢符Ｓ１が指し示す側）に凸面１１ａを有しており、第２レンズ１２は、物体側（図中矢符Ｓ２が指し示す側）に凸面１１ａと対向する凹面１２ｂを有している。
【００８５】
また、第１レンズ１１及び第２レンズ１２は、レンズ保持部１４により保持されている。
【００８６】
また、本実施の形態に係る組合せレンズ１０では、第１レンズ１１と第２レンズ１２の間にリング状のスペーサ１７が挟まれている。
【００８７】
スペーサ１７は、厚さ方向（図中矢符Ｔ１の方向）に穴径Ｒ１，Ｒ２が異ならされており、これにより、内周面に傾斜部１３が構成されている。なお、スペーサ１７の穴径Ｒ１，Ｒ２は、光束の広がる方向に傾斜する傾斜部１３が構成されるように、光の入射側に配置される部分の穴径Ｒ１が、出射側に配置される部分の穴径Ｒ２よりも小さくなっている。
【００８８】
また、スペーサ１７は樹脂製となっており、第１レンズ１１に融着されている。つまり、傾斜部１３が第１レンズ１１に密に固定されている。
【００８９】
また、スペーサ１７は少なくとも傾斜部１３を構成する内周面が黒色化されている。なお、本実施の形態に係る組合せレンズ１０では、スペーサ１７を形成する際の容易さから、スペーサ１７の全体が黒色樹脂で形成されている。
【００９０】
なお、第１レンズ１１において、有効径の外側部分の形状１１ｆは、スペーサ１７の外周面と密に当接させることができる形状であればいかなる形状であってもよく、傾斜部１３と同様に、光束の広がる方向に傾斜していてもよい。
【００９１】
本実施の形態に係る組合せレンズ１０では、リング状のスペーサ１７を挟むことにより、黒色化された傾斜部１３が構成されており、第１レンズ１１と第２レンズ１２は隙間なく密に接合されている。
【００９２】
よって、第１レンズ１１及び第２レンズ１２のレンズ設計において、実施の形態３（図４参照）及び実施の形態４（図６参照）に係る組合せレンズ１０のように、接着剤１５を流し込む隙間や、レンズ保持部１４から突出したレンズ係合部１６を介在させる隙間を第１レンズ１１と第２レンズ１２の接合部１８に設けることを考慮する必要がないから、レンズ設計が容易である。
＜実施の形態６＞
図９は、本発明の実施の形態６に係るカメラモジュールのレンズ構成を説明する説明図である。なお、図９では、実施の形態１に係る組合せレンズ１０を搭載した状態を示しており、組合せレンズ１０、絞り部２０、撮像素子３０を、それぞれ断面図で示している。また、断面部のハッチングは、図の見易さを考慮し、省略している。
【００９３】
本実施の形態に係るカメラモジュールには、上述した実施の形態１乃至実施の形態５のいずれか１つに係る組合せレンズ１０が搭載されている。
【００９４】
組合せレンズ１０の物体側（図中矢符Ｓ２が指し示す側）には絞り部２０が配置されており、絞り部２０の開口部２１により光束が広げられた光を組合せレンズ１０で受光する構成となっている。また、組合せレンズ１０の像面側（図中矢符Ｓ１が指し示す側）には撮像素子３０が配置されている。
【００９５】
本実施の形態に係るカメラモジュールに入射した光の光束は、絞り部２０の開口部２１を通過して広がる（図中矢符Ｌ１の方向に広がる）。
【００９６】
組合せレンズ１０へと入射した光は、実施の形態１で記載したように、凸面１１ａと凹面１２ｂの曲率半径の差が１ｍｍ以下に設定され、平行度が保たれていることから、凸面１１ａと凹面１２ｂの間をほとんど屈折せずに、つまり低反射で通過（図中矢符Ｌ２の方向に通過）する。そして、第２レンズ１２の像面側の面１２ａで反射（図中矢符Ｌ３の方向に反射）して１次反射不要光を発生する。
【００９７】
ここで、発生した１次反射不要光の向かう先に（図中矢符Ｌ３の方向に）反射体が存在すると、撮像素子３０へ入射して画像に悪影響を与える２次反射不要光が発生することとなるが、本実施の形態に係るカメラモジュールでは、１次反射不要光の向かう先に（図中矢符Ｌ３の方向に）、黒色化された傾斜部１３が存在するため、１次反射不要光は傾斜部１３で吸光されることとなり、２次反射不要光の発生は防止される。
【００９８】
つまり、本実施の形態に係るカメラモジュールは、実施の形態１乃至実施の形態５のいずれか１つに係る組合せレンズ１０を搭載することにより、２次反射不要光の発生を防止した構成となっている。
＜実施の形態７＞
図１０は、本発明の実施の形態７に係るカメラモジュールのレンズ構成を説明する説明図である。なお、図１０では、実施の形態１に係る組合せレンズ１０を搭載した状態を示しており、組合せレンズ１０、絞り部２０、撮像素子３０、レンズ群４０を断面図で示している。
【００９９】
図１１は、図１０のカメラモジュールに搭載してあるレンズ群の構成を説明する説明図である。
【０１００】
図１２は、図１０のカメラモジュールに搭載してある全てのレンズをレンズ保持部で保持した状態を示す断面図である。
【０１０１】
なお、図１０及び図１２では、図の見易さを考慮し、断面部のハッチングは省略している。
【０１０２】
本実施の形態に係るカメラモジュールでは、絞り部２０の像面側（図中矢符Ｓ１が指し示す側）に光束を広げる構成のレンズ群４０が配置されている。そして、レンズ群４０の像面側（図中矢符Ｓ１が指し示す側）に実施の形態１乃至実施の形態５のいずれか１つに係る組合せレンズ１０が配置されている。そして、組合せレンズ１０の像面側（図中矢符Ｓ１が指し示す側）に撮像素子３０が配置されている。
【０１０３】
つまり、本実施の形態に係るカメラモジュールは、絞り部２０を通過した光束を広げる構成のレンズ群４０の像面側（図中矢符Ｓ１が指し示す側）に、実施の形態１乃至実施の形態５のいずれか１つに係る組合せレンズ１０を搭載した構成となっている。
【０１０４】
レンズ群４０は２つのレンズ４１，４２で構成されている。具体的には、図１１に示すように、光束の幅Ｗ１，Ｗ２が像面側（図中矢符Ｓ１が指し示す側）に向かうにつれて広がる（図中矢符Ｌ５の方向に広がる）ように、構成されている。
【０１０５】
なお、レンズ群４０で発生する１次反射不要光は、レンズ群４０が光束を広げるように構成されており、撮像素子３０の受光面３１に対してほぼ平行な方向に反射するため、レンズ群４０で反射した１次反射不要光が２次反射不要光となって撮像素子３０へ入射することはほとんどなく、画像に悪影響を及ぼすこともほとんどない。
【０１０６】
つまり、本実施の形態に係るカメラモジュールは、組合せレンズ１０の物体側（図中矢符Ｓ２が指し示す側）に配置されるレンズ群４０を、光束を広げる構成とすることで、１次反射不要光起因で２次反射不要光が発生することによるフレア等の不要光の発生要因を組合せレンズに移している。
【０１０７】
レンズ群４０により光束が広げられて、組合せレンズ１０へと入射した光は、実施の形態１で記載したように、凸面１１ａと凹面１２ｂの曲率半径の差が１ｍｍ以下に設定され、平行度が保たれていることから、凸面１１ａと凹面１２ｂの間をほとんど屈折せずに、つまり低反射で通過（図中矢符Ｌ２の方向に通過）する。そして、第２レンズ１２の像面側の面１２ａで反射（図中矢符Ｌ３の方向に反射）して１次反射不要光を発生する。
【０１０８】
１次反射不要光の向かう先に（図中矢符Ｌ３の方向に）は、黒色化された傾斜部１３が存在し、１次反射不要光は傾斜部１３で吸光されるから、２次反射不要光の発生は防止される。
【０１０９】
また、図１２に示すように、レンズ群４０及び組合せレンズ１０をレンズ保持部１４により、保持すると外部からの光（図中矢印Ｌ４の方向から入射する光）を遮光することができる。なお、図１２では、カメラモジュールに搭載した全てのレンズ１１，１２，４１，４２がレンズ保持部１４により保持されているが、全てのレンズ１１，１２，４１，４２でなく、一部のレンズを保持するようにしても、周囲の遮光は可能となるので問題は生じない。
【図面の簡単な説明】
【０１１０】
【図１】本発明の実施の形態１に係る組合せレンズの概略構成を示す断面図である。
【図２】本発明の実施の形態１に係る組合せレンズの第１レンズの構造を示す斜視図である。
【図３】本発明の実施の形態１に係る組合せレンズにおいて、第１レンズ及び第２レンズをレンズ保持部で保持した状態を示す断面図である。
【図４】本発明の実施の形態２に係る組合せレンズの概略構成を示す断面図である。
【図５】本発明の実施の形態３に係る組合せレンズの概略構成を示す断面図である。
【図６】本発明の実施の形態４に係る組合せレンズの概略構成を示す断面図である。
【図７】本発明の実施の形態５に係る組合せレンズの概略構成を示す断面図である。
【図８】本発明の実施の形態５に係る組合せレンズにおけるスペーサの構造を示す斜視図である。
【図９】本発明の実施の形態６に係る組合せレンズにおけるカメラモジュールのレンズ構成を説明する説明図である。
【図１０】本発明の実施の形態７に係る組合せレンズにおけるカメラモジュールのレンズ構成を説明する説明図である。
【図１１】図１０のカメラモジュールに搭載してあるレンズ群の構成を説明する説明図である。
【図１２】図１０のカメラモジュールに搭載してあるレンズをレンズ保持部で保持した状態を示す断面図である。
【符号の説明】
【０１１１】
１０  組合せレンズ
１１  第１レンズ
１１ａ  凸面
１１ｂ  黒色樹脂部
１１ｆ  有効径の外側部分の形状
１１ｔ  透明樹脂部
１２  第２レンズ
１２ａ  像面側の面
１２ｂ  凹面
１３  傾斜部
１４  レンズ保持部
１５  接着剤
１６  レンズ係合部
１７  スペーサ
１８  第１レンズと第２レンズの接合部
２０  絞り部
２１  開口部
３０  撮像素子
３１  受光面
４０  レンズ群
４１，４２  レンズ
Ｌ１，Ｌ２，Ｌ３，Ｌ４，Ｌ５  光の向かう方向
Ｒ１，Ｒ２  穴径
Ｓ１  像面側
Ｓ２  物体側
Ｔ１  厚さ方向
Ｗ１，Ｗ２  光束の幅
【図１】
2008122801.tif 000003
【図２】
2008122801.tif 000004
【図３】
2008122801.tif 000005
【図４】
2008122801.tif 000006
【図５】
2008122801.tif 000007
【図６】
2008122801.tif 000008
【図７】
2008122801.tif 000009
【図８】
2008122801.tif 000010
【図９】
2008122801.tif 000011
【図１０】
2008122801.tif 000012
【図１１】
2008122801.tif 000013
【図１２】
2008122801.tif 000014